(57)【要約】【課題】袋内の高湿化防止を図ると同時に防虫効果の長期的な維持を図り、併せて衣服をハンガーに掛けたまま、袋内に収納する際に、ハンガーの形状に沿いやすく、且つ袋全体に皺がより難くして内部の衣服にも皺がより難いようにした衣服収納袋、そして、袋内に収納された衣服を外部から確認しやすくした衣服収納袋の提供を目的とする。【解決手段】衣服収納袋が、袋主体部分１とこれに連接する開口周辺部分２とからなり、開口周辺部分２の上端に上記の衣服の出し入れ用の開口３が形成されている。又、開口周辺部分２は、袋主体部分１よりも通気性が高く且つ柔軟性が高いものであり、袋主体部分１には、透明な合成樹脂製のシートにより閉ざされた覗き用窓７が形成されている。そして、上記の開口３が、きんちゃく構造により開閉するものであり、このきんちゃく構造によりその開口３を閉じる際に、上記の開口周辺部分２が絞られるようにした衣服収納袋を提供する。【選択図】          図９
0003105998.tif 000002
【実用新案登録請求の範囲】
【請求項１】
難通気構造部分と易通気構造部分とを備え、その内部に衣服を収納する袋であって、この袋内に防虫剤を収納するようにすると共に、この袋の上端に衣服用ハンガーよりも大きな衣服の出し入れ用の開口が形成され、衣服を衣服用ハンガーに掛けたまま衣服の下端から袋内に収納できるようにした衣服収納袋において、
この袋が、袋主体部分(1)とこれに連接する開口周辺部分(2)とからなり、開口周辺部分(2)の上端に上記の衣服の出し入れ用の開口(3)が形成され、
開口周辺部分(2)は、袋主体部分(1)よりも通気性が高く且つ柔軟性が高いものであり、袋主体部分(1)には、透明な合成樹脂製のシート(71)により閉ざされた覗き用窓(7)が形成されたもので、
上記の開口(3)が、きんちゃく構造により開閉するものであり、このきんちゃく構造によりその開口(3)を閉じる際に、上記の開口周辺部分(2)が絞られるようにしたことを特徴とする衣服収納袋。
【請求項２】
上記の袋主体部分(1)が、最内層の不織布、和紙等の易通気性シート(11)と、その外側に配位された合成樹脂製等の難通気性シート(12)と、さらにその外側に配位された不織布、和紙等の易通気性シート(13)との３層からなる難通気構造をなし、
開口周辺部分(2)が、上記の２層の易通気性シート(11)(13)のみから構成された易通気構造をなしていることを特徴とする請求項１記載の衣服収納袋。
【請求項３】
上記の最内層の不織布、和紙等の易通気性シート(11)に、防菌、防かび、防臭処理が施されていることを特徴とする請求項１又は２記載の衣服収納袋。
【考案の詳細な説明】
【技術分野】
【０００１】
本願考案は、衣服を収納する袋の改良に関するものである。
【背景技術】
【０００２】
【特許文献１】実公昭５６−１２２００号公報
【特許文献２】実開昭５７−７４１６４号公報
【特許文献３】実公昭３６−３８２６号公報
【０００３】
セーター、スーツ、コート等の衣服は、袋へ収納され、販売や保管がなされる。この販売・保管時に用いられる収納袋は、通常、合成樹脂製の難通気性シートより全体が構成され、袋開口もリシール性の粘着剤により封されている。また、実公昭５６−１２２００号公報（特許文献１）には、ガス不透過性合成樹脂製の袋の開口をクリップで密封して、その内部に脱酸素剤収納小袋を設けて、衣服を収納して密封後、袋の内部を無酸素状態にするようにした衣服の収納袋が提案されている。ところが、上記のような密封状態の袋内に、衣服を比較的長期間収納しておくと、外気と袋内とが遮断されるために、次の問題が生ずる。即ち、衣服の繊維は多少の水分を有するため、外気と遮断された袋内に比較的長期間収納しておくと、袋内が高湿となり、繊維の品質と劣化を速めることになってしまうおそれがある。例えば、絹は湿った大気中では３０％の水分を含むことができ、しかも適度な放湿性を有するため、この傾向は顕著に現れる。又、「ウールは生きている」「ウールは呼吸する」と言われるのもこの点を捉えたもので、高級天然繊維製の衣服ほど、密封状態下の長期の収納を避けなければならない。
【０００４】
他方、高級天然繊維製の衣服ほど、虫食いの害に会い易いため、比較的長期間、衣服を収納しておくには、衣服と共に、防虫剤を袋内に入れておくことが好ましいと考えられる。そこで、防虫効果の点のみを考えれば、上記とは逆に、袋内は密封状態におかれることが好ましく、上記実公昭５６−１２２００号公報（特許文献１）の考案もこの観点に立つものであると認められる。
【０００５】
尚、実開昭５７−７４１６４号公報（特許文献２）には、合成樹脂製の袋の一部に通気性の有る部分を設けて袋内外の通気性を確保しようとした滅菌用袋が開示されている。ところで、この通気性の有る部分は、滅菌作業時の通気性を確保して袋の破れを防止しようとしたものであり、衣服の収納時の防虫効果と密封性の弊害との問題に関する配慮は、何らなされていない。
【０００６】
他方、衣服の収納の作業性に関しては、衣服をハンガーに掛けたまま、袋内に収納できるようにした衣服袋が実公昭３６−３８２６号（特許文献３）として提案されており、また、袋の開口を閉じる方法としてはきんちゃく構造が古くから用いられている。ところが、きんちゃく構造によって、袋を閉じる場合、袋全体に皺がより易く、内部の衣服にも皺が生じるおそれがある。
【０００７】
又、多数の衣服を別々の袋に収納する場合、各々の袋にどの衣服が収納されているかが一目で確認できると便利であるが、上記従来の袋、特に全体が不透明の袋である場合、確認し難いという問題がある。
【考案の開示】
【考案が解決しようとする課題】
【０００８】
かくして、本願考案は、袋内の高湿化防止を図ると同時に防虫効果の長期的な維持を図り、併せて衣服をハンガーに掛けたまま、袋内に収納する際に、ハンガーの形状に沿いやすく、且つ袋全体に皺がより難くして内部の衣服にも皺がより難いようにした衣服収納袋、そして、袋内に収納された衣服を外部から容易に確認可能な衣服収納袋の提供を目的とするものである。
【課題を解決するための手段】
【０００９】
そこで本願考案は、難通気構造部分と易通気構造部分とを備え、その内部に衣服を収納する袋であって、この袋内に防虫剤を収納するようにすると共に、この袋の上端に衣服用ハンガーよりも大きな衣服の出し入れ用の開口が形成され、衣服を衣服用ハンガーに掛けたまま衣服の下端から袋内に収納できるようにした衣服収納袋において、次の構成を特徴とするものを提供することにより、上記の課題を解決する。
【００１０】
本願の第１の考案においては、衣服収納袋が、袋主体部分１とこれに連接する開口周辺部分２とからなり、開口周辺部分２の上端に上記の衣服の出し入れ用の開口３が形成されている。又、開口周辺部分２は、袋主体部分１よりも通気性が高く且つ柔軟性が高いものであり、袋主体部分１には、透明な合成樹脂製のシート７１により閉ざされた覗き用窓７が形成されている。そして、上記の開口３が、きんちゃく構造により開閉するものであり、このきんちゃく構造によりその開口３を閉じる際に、上記の開口周辺部分２が絞られるようにしたことを特徴とするものである。
【００１１】
本願の第２の考案においては、上記の袋主体部分１が、最内層の不織布、和紙等の易通気性シート１１と、その外側に配位された合成樹脂製等の難通気性シート１２と、さらにその外側に配位された不織布、和紙等の易通気性シート１３との３層からなる難通気構造をなし、開口周辺部分２が、上記の２層の易通気性シート１１，１３のみから構成された易通気構造をなしていることを特徴とするものを提供する。
【００１２】
本願の第３の考案においては、上記の最内層の不織布、和紙等の易通気性シート１１に、防菌、防かび、防臭処理が施されていることを特徴とするものを提供する。
【００１３】
本願考案の衣服収納袋は、袋主体部分１の合成樹脂製等の難通気性シート１２が、その難通気性により袋主体部分１の密封性を高める。これにより、袋内に防虫剤を入れた際、その防虫効果を衣服に確実且つ継続的に作用させることができる。他方開口周辺部分２が不織布、和紙等の、袋主体部分１よりも通気性が高い易通気性シート１１，１３のみからなる易通気構造をなすため、この開口周辺部分２の通気性の良さにより、適度な外気との通気が図られ、ウール等の高級天然織繊製の衣服を比較的長期間収納する際にも、袋内が高湿となって繊維の品質の劣化することを防ぐことができる。
【００１４】
但し、開口周辺部分２が易通気構造を有する以上、実公昭５６−１２２００号（特許文献１）等の密封状態の袋に比して、防虫剤を入れた際、その防虫効果が早期に消滅することは否めない。ところが、本願考案では、袋主体部分１が、最内層の不織布、和紙等の易通気性シート１１と、その外側に配位された合成樹脂製等の難通気性シート１２と、さらにその外側に配位された不織布、和紙等の易通気性シート１３との３層からなる難通気構造をなしている。そのため、防虫剤から発散した防虫成分は、この最内層の不織布、和紙等の易通気性シート１１に含浸して、より長く防虫効果を発揮することができるものである。
【００１５】
又、袋の開口３を衣服用ハンガーよりも大きく形成することにより、袋の開口を大きく開いてハンガーに掛けた衣服を、その下端から通して収納することができる。そして、このきんちゃく構造により、ハンガーの上端を開口外に出した状態できんちゃく構造を絞るだけでその開口３を閉じることができ、且つ、袋は、ハンガーに確実に係止される。しかも、ハンガー上端のフック部分は袋外に出たままなので、そのまま吊り下げることができる。
【００１６】
ここで、開口周辺部分２は、合成樹脂製シート１２のない分、袋主体部分１よりも柔軟性が高い。そのため、きんちゃく構造で開口を絞る際に、開口周辺部分２はその柔軟性により簡単にきんちゃくを絞ることができ、他方、袋主体部分１は変形しにくく、皺が発生しにくく、衣服に皺をよせることを防止し得る。
【００１７】
又、袋主体部分１には、透明な合成樹脂製のシート７１により閉ざされた覗き用窓７が形成されている。そのため、この覗き用窓７を通して袋内に収納された衣服を容易に確認できる。
【考案の効果】
【００１８】
以上、本願の第１及び第２の考案は、袋内の高湿化防止を図ると同時に防虫効果の長期的な維持を図り、併せて衣服をハンガーに掛けたまま、袋内に収納する際に、ハンガーの形状に沿いやすく、且つ袋全体に皺がより難くして内部の衣服にも皺がより難いようにしたものであって、しかも袋内に収納された衣服を外部から容易に確認可能な衣服収納袋を提供することができたものである。
【００１９】
本願の第３の考案は、上記の効果に加えて、最内層の不織布、和紙等の易通気性シート１１に、防菌、防かび、防臭処理を施すことにより、収納中の衣服に対して、防菌、防かび、防臭作用を発揮させることができる衣服収納袋を提供し得たものである。
【考案を実施するための最良の形態】
【００２０】
以下図面に基づき本願考案の一実施例を説明する。図１は一実施例の衣服収納袋の正面図、図２は同背面図である。
【００２１】
この袋は図２に示すように、背面中央線４及び底辺５が縫着されることによって、上端に開口３を備えた袋状に形成されている。尚、縫着の他、接着剤等の接着手段を用いてもよく、又、縫着箇所及び袋の全体形状は適宜変更可能である。
【００２２】
この袋は、袋主体部分１と開口周辺部分２とから構成されている。袋主体部分１は袋の底側の約３／４を占め、袋開口周辺部分２は袋の開口３側の約１／４を占める。尚、この比率は袋の大きさ等に応じて変更し得るが、開口周辺部分２の長さは、図９に示すように、きんちゃく構造によりその開口３を閉じる際に、上記の開口周辺部分２が絞られ得るだけの長さを確保する必要がある。
【００２３】
この実施例における袋主体部分１は、図１のＡ部分の断面説明図である図３に示すように、３層構造をなす。その層構造は、袋内部側から易通気性シートである不織布製シート１１、難通気性シートであるポリエチレン等の合成樹脂製シート１２、易通気性シートである和紙製シート１３となっており、難通気性シートたる合成樹脂製シート１２を含むことにより、難通気構造となっている。
【００２４】
衣服に直接接する不織布製シート１１には、防菌、防かび、防臭処理を施すことが好ましいが、予め防虫処理を施さずとも、防虫剤から発散する防虫成分が不織布製シート１１に含浸するため、予め防虫処理を施したのと同様の効果を発揮し得るものである。
【００２５】
次に、合成樹脂製シート１２は、その難通気性により袋主体部分１の密封性を高める。これにより、袋内に防虫剤を入れた際、その防虫効果を衣服に確実且つ継続的に作用させることができる。又、合成樹脂製シート１２を他のシート１１，１３に比して剛性の高いものとすることによって、より確実に袋主体部分１の型くずれを防ぐことができる。
和紙製シート１３は、袋を取り扱う際の手ざわりの良さを高め、又表面への印刷も簡単にし得るものである。尚、この実施例では上記の３層構造としたが、外側の和紙製シート１３を省いた２層構造、或いは逆に４層以上の構造としてもよい。更には、不織布製シート１１のみの１層構造とし、袋主体部分１における不織布製シート１１の表面に樹脂コーティングを施したり、不織布製シート１１自体に樹脂を含浸させることによって、難通気構造としてもよい。
【００２６】
ここで、図１に示すように、袋主体部分１の一部は窓状に切り抜かれており、この部分の袋内側に、図４に示すように、透明な合成樹脂製である窓シート７１が縫着や接着により取り付けられ、これにより閉ざされた覗き用窓７が形成されている。このように覗き用窓７を形成することにより、図９に示すような使用状態において、内部に収納された衣服を袋の外部から確認でき、特に多数の衣服を別々の袋に収納する場合、各々の袋にどの衣服が収納されているかを一目で確認できて便利である。
【００２７】
又、図５（Ａ）（Ｂ）に示すように、覗き用窓７の袋における窓シート７１の袋外側寄りに、窓シート７１と同様のシートからなるポケットシート７２を重ねて配し、ポケット状としても良い。このポケットシート７２は、図５（Ａ）に示すように、三方は袋主体部分１に取り付けられているが、図示上方は開放されたものとなっており、この開放された部分から、窓シート７１とポケットシート７２との間に、図５（Ａ）（Ｂ）に示すように、例えば収納した衣類の種類や分類等を示すタグＴを挿入することができる。これにより、更に衣類の識別が容易となるため便利である。尚、図示した例では、上方に開口したポケット状としたが、側方に開口したものや、別途、蓋を取り付けたものとしても良く、種々の形態で実施し得る。
【００２８】
又、袋主体部分１を構成する合成樹脂シート１２として透明なものを用い、不織布製シート１１と和紙製シート１３との一部を窓状に切り抜いた状態とし、合成樹脂シート１２をそのままの状態とすることにより、合成樹脂シート１２が窓シート７１を兼ねた覗き用窓７としても良い。又、この覗き用窓７を形成する部分についても、この実施例のような袋主体部分１に設けたものに限られず、開口周辺部分２や、袋主体部分１における端辺６を含む部分に設けたものとしても良い。このように、この覗き用窓７の構成は種々に変更して実施し得る。尚、この窓シート７１は、袋主体部分１を構成する最内層のシート（この実施例では不織布製シート１１）に対して、覗き用窓７の周囲が気密に貼り付けられ、この覗き用窓７の部分から、袋内部に入れた防虫剤から発散した防虫成分が漏れ出さないようにすることが望ましい。
【００２９】
次に、開口周辺部分２は、図３に示すように、２層構造をなす。即ち、袋内部側から不織布製シート１１と和紙製シート１３とが配され、共に通気性の高い易通気性シートのみから構成された易通気構造となっている。この開口周辺部分２の通気性の良さにより、適度な外気との通気が図られ、ウール等の高級天然繊維製の衣服を比較的長期間収納する際にも、袋内が高湿とならず繊維の品質の劣化を防ぐことができる。
尚、防虫剤を袋内部に入れて使用する場合には、この開口周辺部分２が上方に、袋主体部分１が下方に来るようにして袋を保管することが好ましい。即ち、発散した防虫成分は空気より重いため、袋主体部分１の底から順に防虫成分が充満し、袋主体部分１を満たした後、上方の開口周辺部分２からあふれ出るようになり、袋主体部分１内の衣服に全体に防虫剤の有効成分が作用する。
【００３０】
この実施例では、開口周辺部分２の不織布製シート１１と和紙製シート１３は、図３に示すように、共に袋主体部分１から連続したものとしているが、必ずしも連続させる必要はない。又、上記両シート１１，１３のうち、何れか一方のシートのみで構成してもよく、逆に３層以上の構造としてもよい。又、これらのシートの他、易通気性があれば、布等の他の材質に変更して実施し得る。さらに、両部分１，２において、各シート１１，１２，１３は互いに接着重合していない状態としているが、ラミネートシートのように、接着・溶着等をなしたものとして実施することもできる。つまり、開口周辺部分２が、袋主体部分１よりも通気性が高いものであれば、種々の構造で実施できる。
【００３１】
この袋の開口３は衣服ハンガーより大きく、きんちゃく構造によって開閉可能となされている。この構造は、袋の正・背面の内側に横方向に延びる紐挿通孔２１，２２が形成されると共に、左・右両側に紐引き出し口２３，２４が形成され、紐挿通孔２１，２２へ２本の紐２５，２６を図６のように輪状にして通し、両引き出し口２３，２４から引き出すようにしたものである。紐挿通孔２１，２２形成構造は自由であるが、この実施例では、図７に示すように、横長の帯状体２７を開口周辺部分２の上端に沿わせて、糸２８，２８によりその上下両側を縫着するようにしたものである。
【００３２】
次に、この袋の使用方法を図８、図９に基づき説明する。まず、袋の開口３を大きく開き、ハンガーａに掛けた衣服ｂの下端から通して収納する。そして、ハンガーの上端ｃを開口外に出した状態できんちゃく構造を絞るだけでハンガーａに掛けたままの衣服ｂを簡単に袋内に収納でき、且つ、袋は、ハンガーａに確実に係止される。しかも、ハンガー上端ｃのフック部分は袋外に出たままなので、そのまま吊り下げることができる。
【００３３】
ここで、開口周辺部分２は、不織布製シート１１及び和紙製シート１３からなる２層構造であり、合成樹脂製シート１２を含む３層構造の袋主体部分１よりも柔軟性が高い。そのため、きんちゃく構造で開口を絞る際に、開口周辺部分２はその柔軟性により簡単にきんちゃくを絞ることができ、他方、袋主体部分１は変形しにくく、皺が発生しない。
【００３４】
最後に、この実施例では、防虫剤を使用する場合に便利なように、防虫剤収納用のポケット３１が、袋背面の内側中央に形成されている（図２）。このポケット３１の形状、構造、材質等は自由であるが、その一例を横断面説明図である図１０に基づき説明する。このポケット３１は、ポケット用不織布３２を二つ折りにし、背面中央線４用の縫着糸３３によって、各シート１１，１２，１３と共に縫着したものである。そして、ポケットの底部は底辺５と共に縫着され、ポケットの上部は、開口周辺部分２の略中央で開口している。このポケット３１に防虫剤を入れると、防虫剤から発散した防虫成分は袋の底辺５にまで落ち、図９のように、ハンガー（Ａ）に掛けて使用すると、袋主体部分１の底から発散した防虫成分が充満し、袋主体部分１を満たした後、上方の開口周辺部分２からあふれ出るようになり、袋主体部分１内の衣服に全体に防虫剤の有効成分が作用する点で有利である。
【図面の簡単な説明】
【００３５】
【図１】本願考案の一実施例の衣服収納袋の正面図である。
【図２】同背面図である。
【図３】図１のＡ部分の断面図である。
【図４】覗き用窓の断面図である。
【図５】（Ａ）は覗き用窓の他の例を示す正面図、（Ｂ）は（Ａ）のＢ−Ｂ断面図である。
【図６】きんちゃく構造の紐の説明図である。
【図７】きんちゃく構造の紐挿通孔の縦断面説明図である。
【図８】衣服収納袋の使用方法の説明図である。
【図９】同収納時の正面図である。
【図１０】衣服収納袋の一部横断面説明図である。
【符号の説明】
【００３６】
１      袋主体部分
２      開口周辺部分
３      開口
４      背面中央線
５      底辺
７      覗き用窓
１１      易通気性シート、不織布製シート
１２      難通気性シート、合成樹脂製シート
１３      易通気性シート、和紙製シート
３１      防虫剤収納用のポケット
３２      ポケット用不織布
７１      窓シート
ａ      ハンガー
ｂ      衣服
ｃ      ハンガーの上端
【図１】
0003105998.tif 000003
【図２】
0003105998.tif 000004
【図３】
0003105998.tif 000005
【図４】
0003105998.tif 000006
【図５】
0003105998.tif 000007
【図６】
0003105998.tif 000008
【図７】
0003105998.tif 000009
【図８】
0003105998.tif 000010
【図９】
0003105998.tif 000011
【図１０】
0003105998.tif 000012